(57)【要約】【課題】定期的に親族関係を表わす図を自動的に作成することができるようにする。【解決手段】入力部１０によって、親族に関する質問項目を含む定期健康診断用の問診票に対する、被診断者の回答を入力として受け付ける。ジェノグラム作成部２４によって、家族に関する質問項目に対する回答に基づいて、親族間の関係を表すジェノグラムを作成し、診断時期とともにジェノグラムをデータベース２２に格納する。【選択図】図１
2019101608.tif 000002
【特許請求の範囲】
【請求項１】
親族に関する質問項目を含む定期健康診断用の問診票に対する、被診断者の回答を入力として受け付ける入力部と、
前記親族に関する質問項目に対する回答に基づいて、親族間の関係を表す図を作成し、診断時期とともに前記図をデータベースに格納する親族関係図作成部と、
を含む親族関係図作成装置。
【請求項２】
前記親族関係図作成部は、前記図としてジェノグラムを作成する請求項１記載の親族関係図作成装置。
【請求項３】
前記データベースから、異なる診断時期の、同一の被診断者の前記図を取得する取得部と、
前記取得した異なる診断時期の、同一の被診断者の前記図を出力する出力部を更に含む請求項１又は２記載の親族関係図作成装置。
【請求項４】
前記取得した異なる診断時期の、同一の被診断者の前記図間の変化点を検出する変化点検出部を更に含み、
前記出力部は、前記変化点検出部の検出結果と共に、前記取得した異なる診断時期の、同一の被診断者の前記図を出力する請求項１又は２記載の親族関係図作成装置。
【請求項５】
前記入力部は、被診断者のイベント時期を更に受け付け、
前記取得部は、前記イベント時期の前後に対応する診断時期の、同一の被診断者の前記図を取得する請求項３又は４記載の親族関係図作成装置。
【請求項６】
前記データベースに、診断時期毎の被診断者の健康診断結果又はストレスチェックの結果が更に格納され、
被診断者の健康診断結果又はストレスチェックの結果が所定の基準より悪かった診断時期を検出する時期検出部を更に含み、
前記取得部は、前記検出された診断時期の前記図と、前記検出された診断時期の前の診断時期の前記図とを取得する請求項３又は４記載の親族関係図作成装置。
【請求項７】
前記データベースに、診断時期毎の被診断者の健康診断結果又はストレスチェックの結果が更に格納され、
被診断者の健康診断結果又はストレスチェックの結果の変化が所定の基準より大きい、連続する２つの診断時期を検出する時期検出部を更に含み、
前記取得部は、前記検出された２つの診断時期の前記図を取得する請求項３又は４記載の親族関係図作成装置。
【発明の詳細な説明】
【技術分野】
【０００１】
本発明は、親族関係図作成装置に関する。
【背景技術】
【０００２】
従来より、臨床心理士によるカウンセリングのプロセスにおいて，ジェノグラムと呼ばれる家系図を作成する方法が知られている。
【０００３】
ジェノグラムは単なる家系図とは異なり，臨床心理士がクライアントや家族との面接を重ねる過程において，家族関係や家族間の相互作用についての情報が追加されるものである（非特許文献１）。
【０００４】
ジェノグラムについては、PC上にあらかじめ用意された図形と文字内容をマウス操作のみで作成することによって、臨床心理士やクライアントの負荷を大幅に下げる方法が提案されている（特許文献１）。
【０００５】
また、家系図については、インターネットのサイトなどを通じて追加や修正など維持更新をする方法も提案されている（特許文献２）。
【先行技術文献】
【特許文献】
【０００６】
【特許文献１】特開2014-67384号公報
【特許文献２】特開2015-90539号公報
【非特許文献】
【０００７】
【特許文献１】村松励、「精神鑑定におけるジェノグラムの活用について」、専修人間科学論集 心理学篇、Vol.3、No.1、pp.41-49、2013年
【発明の概要】
【発明が解決しようとする課題】
【０００８】
しかしながら、PCやインターネットを用いたジェノグラムや家系図では、家族関係を紙の上に記述するよりも編集や修正が容易になるが、情報の修正はあくまでもクライアントや臨床心理士が実施しなければならない。また作成されるジェノグラムや家系図はある特定の時期における内容であり、定期的な自動更新はできないため、時間の経過と共に家族に変化が生じた場合、その都度ジェノグラムを作成し直す必要があり、維持が大変である。
【０００９】
本発明は、上記の事情に鑑みてなされたもので、定期的に親族関係を表わす図を自動的に作成することができる親族関係図作成装置を提供することを目的とする。
【課題を解決するための手段】
【００１０】
上記の目的を達成するために本発明に係る親族関係図作成装置は、親族に関する質問項目を含む定期健康診断用の問診票に対する、被診断者の回答を入力として受け付ける入力部と、家族に関する質問項目に対する回答に基づいて、親族間の関係を表す図を作成し、診断時期とともに前記図をデータベースに格納する親族関係図作成部と、を含んで構成されている。
【００１１】
本発明に係る親族関係図作成装置によれば、入力部によって、親族に関する質問項目を含む定期健康診断用の問診票に対する、被診断者の回答を入力として受け付ける。そして、親族関係図作成部によって、家族に関する質問項目に対する回答に基づいて、親族間の関係を表す図を作成し、診断時期とともに前記図をデータベースに格納する。
【００１２】
このように、定期健康診断用の問診票に含まれる、親族に関する質問項目に対する被診断者の回答に基づいて、親族間の関係を表す図を作成し、診断時期とともにデータベースに格納することにより、定期的に親族関係を表わす図を自動的に作成することができる。
【発明の効果】
【００１３】
以上説明したように、本発明の親族関係図作成装置によれば、定期健康診断用の問診票に含まれる、親族に関する質問項目に対する被診断者の回答に基づいて、親族間の関係を表す図を作成し、診断時期とともにデータベースに格納することにより、定期的に親族関係を表わす図を自動的に作成することができる、という効果が得られる。
【図面の簡単な説明】
【００１４】
【図１】本発明の第１の実施の形態に係るジェノグラム管理装置を示すブロック図である。
【図２】前後３親等血族に関する質問項目の問診票を示す図である。
【図３】前後３親等姻族に関する質問項目の問診票を示す図である。
【図４】データベースの一例を示す図である。
【図５】問診票の回答に対して記号を紐付ける方法の一例を示す図である。
【図６】ジェノグラムの一例を示す図である。
【図７】ジェノグラムを表示する画面のイメージ図である。
【図８】本発明の第１の実施の形態に係るジェノグラム管理装置におけるジェノグラム表示処理ルーチンの内容を示すフローチャートである。
【図９】本発明の第２の実施の形態に係るジェノグラム管理装置を示すブロック図である。
【図１０】本発明の第２の実施の形態に係るジェノグラム管理装置におけるジェノグラム表示処理ルーチンの内容を示すフローチャートである。
【図１１】本発明の第３の実施の形態に係るジェノグラム管理装置におけるジェノグラム表示処理ルーチンの内容を示すフローチャートである。
【発明を実施するための形態】
【００１５】
以下、図面を参照して、本発明の実施の形態について説明する。
【００１６】
[第１の実施の形態]
＜ジェノグラム管理装置のシステム構成＞
図１に示すように、本発明の第１の実施の形態に係るジェノグラム管理装置１００は、入力部１０と、制御部２０と、出力部５０とを含んで構成されている。
【００１７】
入力部１０は、ある組織の従業員毎に、当該従業員を被診断者として、親族に関する質問項目を含む定期健康診断用の問診票に対する、被診断者の回答を機械的に読み取ったものを受け付ける。
【００１８】
例えば、図２に示すような、従業員の前後３親等血族に関する質問項目と、図３に示すような、３親等姻族に関する質問項目とを含む問診票を用いる。質問項目には、年齢、生死、同居の有無、結婚/離婚歴、健康状態、コミュニケーション状態に関する質問を含む。すわなち、質問事項は、従業員から見て対象となる家族の有無（または不明）、家族有の場合は、生死、年齢（死亡の場合は享年）、結婚/離婚歴、同居/別居などの事実情報と、本人からみた対象家族に対する印象質問（コミュニケーションの粗密、健康状態）が含まれる。
【００１９】
各質問項目に対する回答がマークシート方式であり、機械的に読み取られる。
【００２０】
このように、従業員が毎年受診する定期健康診断の問診票には、従業員本人からみて前後三親等の血族および姻族に関する質問事項があり、健康診断を受診するたび（例えば毎年）に記述することになる。
【００２１】
また、入力部１０は、ジェノグラムの表示対象者としての被診断者の情報と、当該被診断者のイベント時期（例えば、結婚した時期など）とを更に受け付ける。
【００２２】
出力部５０は、例えば、ディスプレイからなり、ジェノグラム表示画面を表示する。
【００２３】
制御部２０は、ＣＰＵ、ＲＯＭ、ＲＡＭ、及びＨＤＤを備えたコンピュータで構成されており、ＨＤＤには、後述するジェノグラム表示処理ルーチンを含む各種プログラムが記憶されている。制御部２０は、機能的には次に示すように構成されている。制御部２０は、データベース２２、ジェノグラム作成部２４、ジェノグラム取得部２６、及び変化点検出部２８を備えている。
【００２４】
データベース２２には、従業員の問診票に対する回答を含む健康診断結果およびストレスチェックに基づくストレス状態結果が、従業員毎及び診断時期毎に格納される。また、データベース２２には、ジェノグラム作成部２４により作成されたジェノグラムが、当該従業員の健康診断結果およびストレス状態結果と関連付けられて、診断時期毎に格納される（図４参照）。
【００２５】
また、データベース２２上のジェノグラムは日時で検索し、閲覧と編集ができるようになっている。
【００２６】
ジェノグラム作成部２４は、従業員毎及び診断時期毎に、問診票に対する回答に基づいて、ジェノグラムを作成する。
【００２７】
具体的には、まず、問診票に対する回答を機械的に読み取ったものが、記号と紐付けされる（図５参照）。そして、紐付けられた記号を基に、ジェノグラムが作成される。例えば、X年度の健康診断において従業員が27才未婚男性だとして、父（65）、母（60）、妹（25）、母方祖父（享年90）、母方祖母（85）、父方祖父（享年７７）、父方祖母（享年80）、叔父叔母なしで、父、母と母方祖母と同居し、祖母とのコミュニケーションが密な場合のジェノグラムは図６に示すように作成される。
【００２８】
ジェノグラム取得部２６は、データベース２２から、ジェノグラムの表示対象者としての被診断者のジェノグラムであって、入力されたイベント時期の前後に対応する診断時期のジェノグラムを各々取得する。
【００２９】
変化点検出部２８は、取得したイベント時期の前後に対応する診断時期のジェノグラム間の変化点を検出する。例えば、イベント時期の前後に対応する診断時期の回答データを比較することにより、ジェノグラムの変化点を検出する。
【００３０】
また、変化点検出部２８は、変化点の検出結果を明示すると共に、取得したイベント時期の前後に対応する診断時期のジェノグラムを並べて出力部５０により表示させる（図７参照）。
【００３１】
図７の例では、前述の従業員が仮にX+2年度途中にうつ病になった場合は、過去の健康診断結果と共に、検診時に作成された、ジェノグラムをさかのぼることで家族に関連する要因の糸口をつかむことができる。ジェノグラムは前年のものからの変化点がわかるように色分けされる。このように、ジェノグラム管理装置１００を用いるとジェノグラムを時系列で確認することが可能になるためカウンセリングが容易になる。
【００３２】
＜ジェノグラム管理装置の動作＞
次に、本実施の形態に係るジェノグラム管理装置１００の動作について説明する。まず、ある組織の従業員毎に、当該従業員を被診断者として、親族に関する質問項目を含む定期健康診断用の問診票に対する、被診断者の回答を機械的に読み取ったものを受け付けると、ジェノグラム管理装置１００は、従業員毎に、問診票に対する回答に基づいて、ジェノグラムを作成し、今回の診断時期に対するジェノグラムとして、健康診断結果およびストレス状態結果と関連付けて、データベース２２に格納する。
【００３３】
そして、ジェノグラムの表示対象者としての被診断者の情報と、当該被診断者のイベント時期とを受け付けると、ジェノグラム管理装置１００は、図８に示すジェノグラム表示処理ルーチンを実行する。
【００３４】
まず、ステップＳ１００において、ジェノグラムの表示対象者としての被診断者の情報と、当該被診断者のイベント時期とを取得する。
【００３５】
ステップＳ１０２において、ジェノグラム取得部２６は、データベース２２から、ジェノグラムの表示対象者としての被診断者のジェノグラムであって、入力されたイベント時期の前後に対応する診断時期のジェノグラムを各々取得する。
【００３６】
そして、ステップＳ１０４において、変化点検出部２８は、取得したイベント時期の前後に対応する診断時期のジェノグラム間の変化点を検出する。
【００３７】
ステップＳ１０６では、変化点の検出結果を明示すると共に、取得したイベント時期の前後に対応する診断時期のジェノグラムを並べて出力部５０により表示して、ジェノグラム表示処理ルーチンを終了する。
【００３８】
以上説明したように、本発明の第１の実施の形態に係るジェノグラム管理装置によれば、定期健康診断用の問診票に含まれる、親族に関する質問項目に対する被診断者の回答に基づいてジェノグラムを作成し、診断時期とともにデータベースに格納することにより、定期的に親族関係を表わすジェノグラムを自動的に作成することができる。
【００３９】
また、定期検診のある一年ごとにジェノグラムが新規に作成されるため、前年度のジェノグラムと比較することで、家族に発生した変化を比較的に確認できる。これにより、従業員をカウンセリングする際に親族関係の問題がどのタイミングで発生したかを時系列で把握することができる。
【００４０】
また、ジェノグラムと共に保存された健康診断情報とストレスチェックの情報を確認できるため、従業員の心身の状態と親族関係の因果関係を把握することができる。
【００４１】
また、会社にて毎年実施される定期健康診断の問診票に家族情報に関する質問を設けることによって毎年ジェノグラムを自動的に作成、蓄積することができるため、維持が簡単である。また健康診断のデータとジェノグラムを関連付けることによってクライアントの心身の状態と家族の状態を把握しながらカウンセリングすることが可能になる。
【００４２】
[第２の実施の形態]
＜ジェノグラム管理装置のシステム構成＞
次に、第２の実施の形態に係るジェノグラム管理装置について説明する。なお、第１の実施の形態と同様の構成となる部分については同一符号を付して説明を省略する。
【００４３】
第２の実施の形態では、被診断者の健康診断結果又はストレスチェックの結果が悪かった診断時期のジェノグラムと、当該診断時期の一つ前の診断時期のジェノグラムとを表示している点が、第１の実施の形態と異なっている。
【００４４】
図９に示すように、第２の実施の形態に係るジェノグラム管理装置２００の制御部２２０は、データベース２２、ジェノグラム作成部２４、時期検出部２２４、ジェノグラム取得部２２６、及び変化点検出部２８を備えている。
【００４５】
時期検出部２２４は、データベース２２から、ジェノグラムの表示対象者としての被診断者の、診断時期毎の健康診断結果およびストレス状態結果を取得し、被診断者の健康診断結果又はストレス状態結果が所定の基準より悪かった診断時期を検出する。
【００４６】
ジェノグラム取得部２２６は、データベース２２から、ジェノグラムの表示対象者としての被診断者のジェノグラム及び回答データであって、検出された診断時期のジェノグラムと、当該診断時期より一つ前の診断時期のジェノグラム及び回答データとを取得する。
【００４７】
変化点検出部２８は、取得した回答データに基づいて、検出された診断時期と一つ前の診断時期とのジェノグラム間の変化点を検出する。
【００４８】
また、変化点検出部２８は、変化点の検出結果を明示すると共に、検出された診断時期と一つ前の診断時期とのジェノグラムを並べて出力部５０により表示させる。
【００４９】
＜ジェノグラム管理装置の動作＞
次に、第２の実施の形態に係るジェノグラム管理装置２００の動作について説明する。まず、ある組織の従業員毎に、当該従業員を被診断者として、親族に関する質問項目を含む定期健康診断用の問診票に対する、被診断者の回答を機械的に読み取ったものを受け付けると、ジェノグラム管理装置２００は、従業員毎に、問診票に対する回答に基づいて、ジェノグラムを作成し、今回の診断時期に対するジェノグラムとして、健康診断結果およびストレス状態結果と関連付けて、データベース２２に格納する。
【００５０】
そして、ジェノグラムの表示対象者としての被診断者の情報を受け付けると、ジェノグラム管理装置２００は、図１０に示すジェノグラム表示処理ルーチンを実行する。
【００５１】
まず、ステップＳ２００において、ジェノグラムの表示対象者としての被診断者の情報を取得する。
【００５２】
ステップＳ２０２において、時期検出部２２４は、データベース２２から、ジェノグラムの表示対象者としての被診断者の、診断時期毎の健康診断結果およびストレス状態結果を取得し、被診断者の健康診断結果又はストレス状態結果が所定の基準より悪かった診断時期を検出する。
【００５３】
ステップＳ２０４において、ジェノグラム取得部２２６は、データベース２２から、ジェノグラムの表示対象者としての被診断者のジェノグラム及び回答データであって、上記ステップＳ２０２で検出された診断時期と、一つ前の診断時期とのジェノグラム及び回答データを取得する。
【００５４】
そして、ステップＳ２０６おいて、変化点検出部２８は、取得した回答データに基づいて、上記ステップＳ２０２で検出された診断時期と、一つ前の診断時期とのジェノグラム間の変化点を検出する。
【００５５】
ステップＳ２０８では、変化点の検出結果を明示すると共に、上記ステップＳ２０２で検出された診断時期と、一つ前の診断時期とのジェノグラムを並べて出力部５０により表示して、ジェノグラム表示処理ルーチンを終了する。
【００５６】
以上説明したように、本発明の第２の実施の形態に係るジェノグラム管理装置によれば、ジェノグラムと共に保存された健康診断情報やストレスチェックの情報が悪かった時期のジェノグラムと、一つ前の時期のジェノグラムを確認できるため、従業員の心身の状態と親族関係の因果関係を把握することができる。
【００５７】
[第３の実施の形態]
＜ジェノグラム管理装置のシステム構成＞
次に、第３の実施の形態に係るジェノグラム管理装置について説明する。なお、第３の実施の形態に係るジェノグラム管理装置は、第２の実施の形態と同様の構成となるため、同一符号を付して説明を省略する。
【００５８】
第３の実施の形態では、被診断者の健康診断結果又はストレスチェックの結果の変化が大きかった２つの診断時期のジェノグラムを表示している点が、第２の実施の形態と異なっている。
【００５９】
第３の実施の形態に係るジェノグラム管理装置２００の制御部２２０の時期検出部２２４は、データベース２２から、ジェノグラムの表示対象者としての被診断者の、診断時期毎の健康診断結果およびストレス状態結果を取得し、被診断者の健康診断結果又はストレス状態果の変化が所定の基準より大きい、連続する２つの診断時期を検出する。例えば、被診断者の健康診断結果又はストレス状態果の変化が悪い方向に変化し、かつ、変化が所定の基準より大きい、連続する２つの診断時期を検出する。
【００６０】
ジェノグラム取得部２２６は、データベース２２から、ジェノグラムの表示対象者としての被診断者のジェノグラム及び回答データであって、検出された２つの診断時期のジェノグラム及び回答データを取得する。
【００６１】
変化点検出部２８は、取得した回答データに基づいて、検出された２つの診断時期のジェノグラム間の変化点を検出する。
【００６２】
また、変化点検出部２８は、変化点の検出結果を明示すると共に、検出された２つの診断時期のジェノグラムを並べて出力部５０により表示させる。
【００６３】
＜ジェノグラム管理装置の動作＞
次に、第３の実施の形態に係るジェノグラム管理装置２００の動作について説明する。まず、ある組織の従業員毎に、当該従業員を被診断者として、親族に関する質問項目を含む定期健康診断用の問診票に対する、被診断者の回答を機械的に読み取ったものを受け付けると、ジェノグラム管理装置２００は、従業員毎に、問診票に対する回答に基づいて、ジェノグラムを作成し、今回の診断時期に対するジェノグラムとして、健康診断結果およびストレス状態結果と関連付けて、データベース２２に格納する。
【００６４】
そして、ジェノグラムの表示対象者としての被診断者の情報を受け付けると、ジェノグラム管理装置２００は、図１１に示すジェノグラム表示処理ルーチンを実行する。
【００６５】
まず、ステップＳ３００において、ジェノグラムの表示対象者としての被診断者の情報を取得する。
【００６６】
ステップＳ３０２において、時期検出部２２４は、データベース２２から、ジェノグラムの表示対象者としての被診断者の、診断時期毎の健康診断結果およびストレス状態結果を取得し、被診断者の健康診断結果又はストレス状態結果の変化が所定の基準より大きかった、連続する２つの診断時期を検出する。
【００６７】
ステップＳ３０４において、ジェノグラム取得部２２６は、データベース２２から、ジェノグラムの表示対象者としての被診断者のジェノグラム及び回答データであって、上記ステップＳ３０２で検出された２つの診断時期のジェノグラム及び回答データを取得する。
【００６８】
そして、ステップＳ３０６おいて、変化点検出部２８は、取得した回答データに基づいて、上記ステップＳ３０２で検出された２つの診断時期のジェノグラム間の変化点を検出する。
【００６９】
ステップＳ３０８では、変化点の検出結果を明示すると共に、上記ステップＳ３０２で検出された、連続する２つの診断時期のジェノグラムを並べて出力部５０により表示して、ジェノグラム表示処理ルーチンを終了する。
【００７０】
以上説明したように、本発明の第３の実施の形態に係るジェノグラム管理装置によれば、ジェノグラムと共に保存された健康診断情報やストレスチェックの情報が大きく変化した２つの時期のジェノグラムを確認できるため、従業員の心身の状態と親族関係の因果関係を把握することができる。
【００７１】
なお、本発明は、上述した実施形態に限定されるものではなく、この発明の要旨を逸脱しない範囲内で様々な変形や応用が可能である。
【００７２】
例えば、ジェノグラムを作成する場合を例に説明したが、これに限定されるものではなく、ジェノグラム以外の、親族関係を表わす図を作成するようにしてもよい。例えば、エコマップを作成するようにしてもよい。
【符号の説明】
【００７３】
１０   入力部
２０   制御部
２２   データベース
２４   ジェノグラム作成部
２６   ジェノグラム取得部
２８   変化点検出部
５０   出力部
１００、２００       ジェノグラム管理装置
２２０ 制御部
２２４ 時期検出部
２２６ ジェノグラム取得部
【図１】
2019101608.tif 000003
【図２】
2019101608.tif 000004
【図３】
2019101608.tif 000005
【図４】
2019101608.tif 000006
【図５】
2019101608.tif 000007
【図６】
2019101608.tif 000008
【図７】
2019101608.tif 000009
【図８】
2019101608.tif 000010
【図９】
2019101608.tif 000011
【図１０】
2019101608.tif 000012
【図１１】
2019101608.tif 000013